(57)【要約】以下を特徴とする自動回転ドア用回転ウイングの回転駆動力のシステムが提供される。透明壁部材の前端部に設けられた外装体の内側に回転ドアを備えた内装体を有する自動回転ドアの回転ドアが、前記内装体から突出する回転ローラーと、前記回転ドアを回転させる動作モーターとによって生じ、前記回転ローラーが内部支持突起部上で支持され、前記内装体及び前記回転ウイングの安定した回転と、前記回転ウイングの回転中の一定した間隙とに基づいていかなる安全に関わる事故も防止ことが可能であり、簡単な構造を実現でき、負荷なしに耐久性や寿命を延ばすことができる。【選択図】図４
2009503297.tif 000002
【特許請求の範囲】
【請求項１】
自動回転ドア用の回転ウイング自動折りたたみシステムであって、その下側に内装体２０を有する上部プレート２１が、垂直フレーム２及び２’を有する透明壁部材１及び１’の上側に形成された外装体１０の内側に設けられ、複数の分割された回転ウイング３０及び３０’が前記上部プレート２１の下側に設けられるので、前記内装体２０と前記回転ウイング３０及び３０’とがともに回転できるようになっており、上部片側のヒンジ軸３４に対して、前記回転ウイング３０及び３０’が前記クロスバー４０及び４０’に沿って前記透明壁部材１及び１’の方向に完全に展開され、改善された自動回転ドア用回転ウイングの回転駆動力の構造であって、支持突起部１２が前記外装体１０の内側から突出し、複数の回転ローラー５０及び５０’が前記内装体２０の外面から突出し、前記回転ローラー５０及び５０’が前記支持突起部１２によって支持され、前記外装体１０の中心から下側に懸架された追加軸１３が、その下端部は回転可能な状態で前記内装体２０の中心で固定され、動作モーター５１が複数のラジアル方向回転ローラー５０及び５０’と連結され、前記回転ローラー５０及び５０’が前記動作モーター５１によって回転し、前記内装体２０と前記回転ウイング３０及び３０’とが前記ガイド軸１３に対して回転するような自動回転ドア用回転ウイングの回転駆動力を特徴とする自動回転ドア用の回転ウイング自動折りたたみシステム。
【請求項２】
請求項１に記載のシステムであって、前記動作モーター５１が前記内装体２０の両内側に対向して形成され、各動作モーター５１が、前記内装体２０の内側に水平に形成される前記支持部材５２上の前記係合用プレート５３によって支持され、前記回転ローラー５０及び５０’には、その端部に回転プーリー５５が設けられるので、前記回転軸５４が前記内装体２０の内側方向に突出されるようになっており、前記動作モーター５１の動作プーリー５６が、駆動ベルト５７を介して前記回転ローラー５０及び５０’の回転プーリー５５と連結されることを特徴とするシステム。
【発明の詳細な説明】
【技術分野】
【０００１】
本発明は、各ビルの入口に設置される自動回転ドア用回転ウイングの回転駆動力の構造（自動回転ドア用回転ウイングの回転駆動力のシステム）に関するものであり、特に、以下を特徴とする自動回転ドア用回転ウイングの回転駆動力の構造に関するものである。
【０００２】
透明壁部材の前端部に設けられた外装体の内側に回転ドアを備えた内装体を有する自動回転ドアの回転ドアが、前記内装体から突出する回転ローラーと、前記回転ドアを回転させる動作モーターとによって生じ、前記回転ローラーが内部支持突起部上で支持され、前記内装体及び前記回転ウイングの安定した回転と、前記回転ウイングの回転中の一定した間隙とに基づいていかなる安全に関わる事故も防止ことが可能であり、簡単な構造を実現でき、負荷なしに耐久性や寿命を延ばすことができる。
【背景技術】
【０００３】
一般に、回転ドアはビルの入口に設置され、その回転ドアを通って通行人やさまざまな物が出入りする。
【０００４】
上記構造を用いれば、前記回転ドアを通り抜けたい利用者が前記回転軸を回転させるように前記回転ウイングを押すと、前記回転ドアを通り抜けることができる。
【０００５】
最近には、駆動装置が提供されており、検出センサーもその入口部に設置されている。利用者が接近すると、前記検出センサーはそれを検知し、動力が前記駆動力装置に供給され、同装置と連結された前記回転軸が自動的に回転するので、利用者は前記回転ドアを通り抜けることができるようになっている。
【０００６】
特に、従来型回転ドアや自動回転ドアには、物や衣服の一部が前記回転ウイングの端部や前記透明壁部材の内面などに引っかかったり挟まったりする可能性もあるという問題がある。前記ドアを通して長い物を通過させようとする場合も、前記回転ウイングの形成角度のため、前記ドアを通り抜けることは不可能である。
【０００７】
最近になって、各回転ウイングが、回転されて前記回転軸から単一方向又は両方向に折りたたまれるような特定の構造が開発されている。この構造では、特定の安全に関わる事故が起こると、ただちに対応する回転ウイングを折りたたむことが可能であるので、それによって適当な処置をとることができ、長い物を通過させる際は、対応する回転ウイングを前記回転軸から片側に折りたたむことができるので、しかるべき通路が得らるようにもなっている。
【０００８】
しかしながら、前記自動回転ドアや回転ウイングの折りたたみ構造は、前記中心回転軸に対して折りたたまれるようにデザインされている。
【０００９】
前記回転ウイングが折りたたまれているときでさえも、前記回転ウイングと前記中心回転軸とが引き続き前記回転ドアの中心に存在するので、さらに幅広い通路を得ることは不可能である。
【００１０】
すなわち、従来型回転ドア又は自動回転ドアは、前記垂直中心回転軸にいくつもの回転ウイングを有するので、所望の通路を得るため又は安全上の理由から、前記回転ウイングが折りたたまれる必要がある場合には、前記回転ウイングは前記中心回転軸から折りたたまれる。したがって、前記中心回転軸と回転ウイングが引き続き前記回転ドアの内心に存在するので、さらに幅広い所望の通路を得ることは不可能である。
【００１１】
護衛を必要とするＶＩＰ又は有名芸能人も、単独で前記回転ドアを通り抜けなければならず、無護衛の状態になってしまうので、セキュリティが問題が生じる。さらに、車両展示場や家具展示場などの大型物を展示する場所では、中心回転軸がある前記回転ドアを大型物が通り抜けることは不可能であるので、追加の入口経路又は大型開閉ドアを設置する必要が生じる。
【００１２】
したがって、本発明の出願人によってなされた特許文献１によれば、特定の角度で分割された各回転ウイングは、前記回転ウイングの上部外側部分が前記上部プレートの内側支持部材の外端部にヒンジ連結されるとともに前記回転ウイングの上端部の内側が前記クロスバーの下側に滑動係合される状態で、前記駆動モーターにより回転される前記上部プレートの下側にヒンジ連結されるので、前記前端部に対して、各回転ウイングが前記外側壁本体に向かって展開できるようになっている。
【００１３】
中心回転軸がない状態では、従来技術のような前記回転ドア本来の機能を完全に満たすことができる。前記回転ドアの通路が開かれると、前記回転ウイングは折りたたまれて前記壁部材の内向き方向に展開されるので、前記回転ドアを完全に開くことができる。
【００１４】
この構造を用いれば、厳重な警護を必要とするＶＩＰ又は有名芸能人は護衛者とともに前記ドアを通り抜けることができる。さらに、車両や家具などの大型物も追加の開閉ドアなしに通り抜けることができる。よって、さまざまな物が通路を阻害することなしに通り抜けることができ、多くの利用者が同時に通り抜けることもできる通路を提供することが可能である。ここで、最大効率を提供する回転ウイングの分散折りたたみ構造を備えた自動回転ドアが達成される。
【００１５】
しかしながら、前記自動回転ドアの上記回転構造は前記外装体の前端部に設置される駆動モーターの駆動力によって大きく左右されるので、過駆動力が必要とされる。また、前記内装体の支持力は不安定であり、前記内装体と前記回転ウイングとが動いてしまう可能性もある。
【００１６】
衣服の一部や物が引っかかったり挟まったりすることを防止するためには、前記透明壁部材の内側と前記回転ウイングの端部間の間隙が一定でなくてはならない。しかしながら、上記従来技術ではその間隙が一定でないか又は変化する可能性もあるので、多くの問題点がある。
【００１７】
比較的に重い回転ウイングと内装体は、前記外装体の上部中心に設けられた前記駆動力軸と、それを固定するように構成された固定用円形プレートとによって固定されるので、その耐久性は非常に低い。
【００１８】
また、過負荷もかかるので、その寿命も短い。
【特許文献１】韓国特許出願第２００５-６９３３４号
【発明の開示】
【発明が解決しようとする課題】
【００１９】
よって、従来技術で遭遇する前記問題点を克服することが本発明の目的である。
【課題を解決するための手段】
【００２０】
また、突起部が自動回転ドアの外装体の内側に形成され、前記内装体の外面に係合される複数の回転ローラーが前記突起部によって支持され、駆動力が、前記内装体の内側に係合された前記回転モーターから前記回転ローラーのうちの１つにかけられるので、前記回転ローラーは駆動ローラーの役割を果たし、前記回転ローラーが前記内装体と前記回転ウイングとを回転できるようになっていることを特徴とする分散展開構造を備えた自動回転ドア用の回転ウイング回転駆動力の構造を提供することも本発明の別の目的である。この構造を用いれば、前記の重い内装体を直接に支持し、ウイングを前記外装体に回転させることによって構造上の安定性が向上され、前記内装体と外装体間の中間部分に形成された前記ガイド軸によって前記内装体と外装体間の距離が即時に形成され、それによって安全性に関する問題が防止され、小型軽量の回転モーターが前記内装体の内側に係合されて前記内装体とともに回転されるので、前記駆動手段が簡略化され、前記垂直支持力が前記回転ローラーを用いて増強され、十分な回転力を伝達することが可能である。
【発明を実施するための最良の形態】
【００２１】
図１は、本発明に係る自動回転ドア用の回転駆動構造を図解説明する斜視図であり、図２は、本発明に係る自動回転ドアを図解説明する側断面図である。
【００２２】
自動回転ドア用の回転ウイング自動折りたたみ構造では、その下側に内装体２０を有する上部プレート２１が、垂直フレーム２及び２’を有する透明壁部材１及び１’の上側に形成された外装体１０の内側に設けられ、複数の分割された回転ウイング３０及び３０’が前記上部プレート２１の下側に設けられ、かくして、前記内装体２０と前記回転ウイング３０及び３０’とがともに回転できるようになっており、上部片側のヒンジ軸３４に対して、前記回転ウイング３０及び３０’が前記クロスバー４０及び４０’に沿って前記透明壁部材１及び１’の方向に完全に展開され、以下を特徴とする、改善された自動回転ドア用回転ウイングの回転駆動力の構造が提供される。支持突起部１２が前記外装体１０の内側から突出し、複数の回転ローラー５０及び５０’が前記内装体２０の外面から突出し、前記回転ローラー５０及び５０’が前記支持突起部１２によって支持され、前記外装体１０の中心から下側に懸架された追加軸１３が、その下端部は回転可能な状態で前記内装体２０の中心で固定され、動作モーター５１が複数のラジアル方向回転ローラー５０及び５０’と連結され、前記回転ローラー５０及び５０’が前記動作モーター５１によって回転し、前記内装体２０と前記回転ウイング３０及び３０’とが前記ガイド軸１３に対して回転する。
【００２３】
前記動作モーター５１が、前記内装体２０の両内側に対向して形成され、各動作モーター５１が、前記内装体２０の内側に水平に形成される前記支持部材５２上の前記係合用プレート５３によって支持され、前記回転ローラー５０及び５０’には、その端部に回転プーリー５５が設けられるので、前記回転軸５４が前記内装体２０の内側方向に突出されるようになっており、前記動作モーター５１の動作プーリー５６が、駆動ベルト５７を介して前記回転ローラー５０及び５０’の回転プーリー５５と連結される。
【００２４】
以下、本発明に係る分散展開構造を備えた自動回転ドア用の回転ウイング回転力構造の動作を添付図面を参照して説明する。
【００２５】
図面中に示したように、基本構造は、垂直フレーム２及び２’がビル内に定間隔で設けられ、透明壁部材１及びＶが垂直フレーム２及び２’間に設けられるように構成される。
【００２６】
入口は前記垂直フレーム２及び２’の両側に設けられる。前記透明壁部材１及びＶは前記入口に形成されない。
【００２７】
ここで、前記透明壁部材１及び１’は、好ましくは強化ガラス又は高強度合成樹脂から形成される。
【００２８】
前記外装体１０は、前記透明部材１及び１’の上側と、前記垂直フレーム２及び２’の上側及びに設けられ、その中にはさまざまな駆動部品と機能部が含まれる。前記内装体２０は、前記外装体１０の内側に設けられ、前記回転ウイング３０及び３０’とともに回転する。
【００２９】
前記内装体２０は、前記内部の動作モーター５１から受ける回転力に基づいて前記外装体１０の内側にて前記回転ウイング３０及び３０’とともに回転する。
【００３０】
前記外装体１０の内側に設けられた前記内装体２０は、前記外装体１０の中心から下側に懸架された前記ガイド軸１３によって固定される。前記ガイド軸１３は、前記外装体１０の中心と前記内装体２０の中心とが互いから逸脱することを防止するように設けられる。さらに、上記構造を用いると、前記回転ウイング３０及び３０’の端部と前記透明壁部材１及びＶの内壁との間の間隙は、その下側の前記回転ウイング３０及び３０’の回転中に常に維持される。
【００３１】
前記内装体２０は、前記外装体１０の内側から突出する前記支持突起部１２上の前記回転ローラー５０及び５０’によって支持される。前記回転ローラー５０及び５０’は前記内装体２０の外面からラジアル方向に突出する。前記回転ローラー５０及び５０’は前記外装体１０の支持突起部１２によって支持され、それによって前記内装体２０が支持される。
【００３２】
したがって、前記内装体２０は前記支持突起部１２に沿って回転して回転摩擦を最小限に抑える。
【００３３】
特に、本発明では、前記駆動モーターが前記内装体２０を駆動するように追加的に設けられるので、前記内装体２０と前記回転ウイング３０及び３０’とが前記回転ローラー５０及び５０’の回転力によって同時回転できるようになっている従来技術と比べて異なり、前記内装体２０は特定の駆動力（部材）を前記回転ローラー５０及び５０’の一部に供給することによって回転される。
【００３４】
図４及び図５に示すように、前記回転ローラー５０及び５０’の回転軸５４は、前記内装体２０の内向き方向に突出され、前記回転プーリー５５と係合される。複数の取付用部材５２は、水平形状で前記内装体２０の内側に設けられる。動作モーター５２は、その上側の取付板５３に設けられる。
【００３５】
前記動作モーター５１の動作プーリー５６が、駆動ベルト５７を用いて前記回転ローラー５０及び５０’の回転プーリー５５と連結されると、前記回転プーリー５５と前記回転ローラー５０及び５０’が前記動作モーター５１の動作に基づいて回転するので、前記内装体２０も前記外装体１０の支持突起部１２に沿って回転することができる。
【００３６】
前記内装体２０が回転し、その下側の回転ウイング３０及び３０’もともに回転するので、前記自動回転ドアの動作構造を得られるようになっている。好ましくは、前記動作モーター５１の構造は、その回転力の均一な分布のため、前記内装体２０の両内端部で分割される。一部の場合では、前記内装体２０と前記回転ウイング３０及び３０’とは、３等分角度又は４等分角度を有する前記動作モーター５１によって回転されてもよい。
【００３７】
本発明では、前記自動回転ドアの駆動力構造にシンプルな構造を用いて、効率的な駆動力伝達機構を達成することが可能である。すなわち、前記自動回転ドアの駆動力の構造は、前記回転ウイングが前記内装体の回転動作に基づいて前記透明壁本体向かって完全に展開されるように構成することができる。
【００３８】
安定した動作が得られ、前記回転中に生じた間隙は均一なので、安全に関わる事故を防止し、耐久性を向上させ、さらに寿命を大幅に延ばすことが可能である。
【産業上の利用可能性】
【００３９】
上記のように、本発明に係る分散展開構造を備えた自動回転ドア用の回転ウイング回転駆動力の構造では、重量の大きな内装体と回転ウイングとが前記外装体によって直接支持されるので、それによって構造上の安定性が得られる。前記内装体と外装体間の間隔は、前記内装体と外装体の中間部分に形成された前記ガイド軸に基づいて一定であり、それによって安全に関わる事故が防止される。
【００４０】
小型軽量の回転モーターが前記内装体の内側に係合され、前記内装体とともに回転されるので、前記駆動手段は簡略化され、前記垂直支持力も前記回転ローラーを用いて増強される。また、その回転摩擦力も低下し、十分な回転力が伝達される。
【００４１】
本発明は、本発明の真の趣旨または基本的な特徴から逸脱することなくいくつかの形態で実施することができるので、別段の指定がない限り、上記の実施例が前述説明のいかなる詳細によっても限定されるものではなく、むしろ添付の特許請求の範囲において定義されるその真の趣旨及び範囲から逸脱することなく広義に解釈されるべきであり、したがって本特許請求の範囲内またはかかる範囲内と同等のすべての変更形態及び修正形態が添付の特許請求の範囲に包含されるべきであることが理解されるであろう。
【図面の簡単な説明】
【００４２】
【図１】図１は、本発明に係る自動回転ドア用の回転駆動構造を図解説明する斜視図である。
【図２】図２は、本発明に係る自動回転ドアを図解説明する側断面図である。
【図３】図３は、本発明に係る自動回転ドアを図解説明する平面図である。
【図４】図４は、本発明に係る自動回転ドアを図解説明する分離（分解）斜視図である。
【図５】図５は、本発明に係る自動回転ドアの拡大された主要部の断面図である。
【図１】
2009503297.tif 000003
【図２】
2009503297.tif 000004
【図３】
2009503297.tif 000005
【図４】
2009503297.tif 000006
【図５】
2009503297.tif 000007
【国際調査報告】
2009503297.tif 000008
2009503297.tif 000009